(57)【要約】【課題】機能性及び見栄えにおいて優れた手摺り等の基礎をなす長尺物建材を安価に提供する。【解決手段】ロール成形手段にて横断面形状がＣ字状に形成された型部材１と、型部材１のＣ字状横断面部内に押出成形手段にて上記型部材１と一体的に設けられるものであって透明性を有するプラスチック材からなるベース部材２と、ベース部材２の、上記型部材１の存する側とは反対の側にベース部材２と一体的に設けられるものであって金属製部材を初めとした不透明体からなる部材にて形成されるストリップ状部材３と、からなり、これらが所定の長さを有するように形成されている。ベース部材２には空洞部２２が形成されており、ここに発光体５が設けられるようになっている。【選択図】図２
2006322248.tif 000002
【特許請求の範囲】
【請求項１】
横断面形状が略Ｃ字状に形成された型部材と、当該型部材のＣ字状横断面部内に設けられるものであってプラスチック材からなるベース部材と、当該ベース部材の、上記型部材の存する側とは反対の側に設けられるストリップ状部材と、からなり、これらが所定の長さを有するように形成されていることを特徴とする長尺物建材。
【請求項２】
ロール成形手段にて横断面形状が略Ｃ字状に形成された型部材と、当該型部材のＣ字状横断面部内に押出成形手段にて設けられるものであってプラスチック材からなるベース部材と、当該ベース部材の、上記型部材の存する側とは反対の側に設けられるものであって金属製部材を初めとした不透明体からなる部材にて形成されるストリップ状部材と、からなり、これらが所定の長さを有するように形成されていることを特徴とする長尺物建材。
【請求項３】
請求項１または請求項２記載の長尺物建材において、上記ベース部材の横断面部内に所定の空洞部を形成させるようにしたことを特徴とする長尺物建材。
【請求項４】
請求項３記載の長尺物建材において、上記ベース部材を透明体からなるようにするとともに、当該ベース部材の空洞部内に所定の発光体を設けるようにしたことを特徴とする長尺物建材。
【請求項５】
請求項１ないし請求項４のいずれかに記載の長尺物建材において、上記ベース部材を軟質プラスチック材にて形成させるようにしたことを特徴とする長尺物建材。
【請求項６】
請求項１ないし請求項５のいずれかに記載の長尺物建材において、当該長尺物建材を適宜屈曲させて手摺りとして用いるようにしたことを特徴とする長尺物建材。
【請求項７】
請求項４ないし請求項６のいずれかに記載の長尺物建材において、当該長尺物建材を誘導燈として用いるようにしたことを特徴とする長尺物建材。
【発明の詳細な説明】
【技術分野】
【０００１】
本発明は、階段等において歩行者の安全性確保のために設けられる手摺り等に用いられる長尺物建材に関するものであり、特に、このような長尺物建材をロール成形手段にて形成される金属製型材と、押出成形手段等にて形成されるプラスチック製部材との複合体からなるようにし、これによって生産性の向上及び見栄えの向上を図ることのできるようにした長尺物建材に関するものである。
【背景技術】
【０００２】
従来のこの種のものは、例えば安全性確保用の手摺り等としては、特開平１１−１０７４７６号公報記載のものの如く、円形横断面形状を有する中空パイプを基礎に、この表面に蓄光シート等からなる被覆材を設けるようにしたもの、あるいは特開２００４−２１８３５７号公報記載のものの如く、平板状のバー材を適当に湾曲成形したもの等が挙げられる。
【特許文献１】特開平１１−１０７４７６号公報
【特許文献２】特開２００４−２１８３５７号公報
【発明の開示】
【発明が解決しようとする課題】
【０００３】
ところで、上記従来のもの、例えば特開平１１−１０７４７６号公報に挙げられるものは、スチールパイプを基礎に、その外側に合成樹脂製の被覆層、更には蓄光機能を発揮する蓄光シート等が設けられるようになっているものであり、全体的に製造コストが高くならざるを得ないと言う問題点がある。また、特開２００４−２１８３５７号公報記載のものは、その横断面形状が上下方向において薄い形態からなるものであり、咄嗟の場合に腕等を上方の角部等に打付けた場合怪我をするおそれがあり、安全上好ましくないと言う問題点がある。このような問題点を解決するために、ロール成形手段にて形成される型部材及び押出成形手段によって形成されるプラスチック製ベース部材からなる複合材を基礎に長尺物部材を形成させ、このような長尺物部材を用いて手摺り等を形成させるようにした、製造コストの低減化された、かつ、見栄えにおいても優れた長尺物建材を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、安全性確保のための手摺り用等として用いられる長尺物建材に関して、横断面形状が略Ｃ字状に形成された型部材と、当該型部材のＣ字状横断面部内に設けられるものであってプラスチック材からなるベース部材と、当該ベース部材の、上記型部材の存する側とは反対の側に設けられるストリップ状部材と、からなり、これらが所定の長さを有するように形成されるようにした構成を採ることとした。
【０００５】
また、請求項２記載の発明である第二の発明においては、長尺物建材に関して、ロール成形手段にて横断面形状が略Ｃ字状に形成された型部材と、当該型部材のＣ字状横断面部内に押出成形手段にて設けられるものであってプラスチック材からなるベース部材と、当該ベース部材の、上記型部材の存する側とは反対の側に設けられるものであって金属製部材を初めとした不透明体からなる部材にて形成されるストリップ状部材と、からなり、これらが所定の長さを有するように形成されるようにした構成を採ることとした。
【０００６】
また、請求項３記載の発明である第三の発明においては、請求項１または請求項２のいずれかに記載の長尺物建材に関して、上記ベース部材の横断面部に所定の空洞部を設けるようにした構成を採ることとした。
【０００７】
また、請求項４記載の発明である第四の発明においては、請求項３に記載の長尺物建材に関して、上記ベース部材を透明体からなるようにするとともに、当該ベース部材の空洞部内に所定の発光体を設けるようにした構成を採ることとした。
【０００８】
また、請求項５記載の発明である第五の発明においては、請求項１ないし請求項４のいずれかに記載の長尺物建材に関して、上記ベース部材を軟質プラスチック材にて形成させるようにした構成を採ることとした。
【０００９】
また、請求項６記載の発明である第六の発明においては、請求項１ないし請求項５のいずれかに記載の長尺物建材に関して、当該長尺物建材を適宜屈曲させて手摺りとして用いることのできるようにした構成を採ることとした。
【００１０】
また、請求項７記載の発明である第七の発明においては、請求項４ないし請求項６のいずれかに記載の長尺物建材に関して、当該長尺物建材を誘導燈として用いることのできるようにした構成を採ることとした。
【発明の効果】
【００１１】
第一の発明によれば、本長尺物建材を、略Ｃ字状の横断面形態を有する型部材と、当該型部材のＣ字状横断面部内に設けられるものであって所定のプラスチック材からなるベース部材とにて形成される複合材からなるようにしたので、手摺り等に利用される長尺物建材を安価に製造することができるようになる。
【００１２】
また、第二の発明によれば、型部材を、例えばステンレススチール製のストリップ材を基礎に、これをロール成形手段を介して略Ｃ字状の横断面形態を有するように成形し、このような型部材のＣ字状横断面部内へ押出成形手段を用いて所定のプラスチック材を充填してベース部材を形成させ、更に、このようにして形成されたベース部材の上面部のところに、所定の細長状ストリップ状部材を接着手段等を介して設けることによって、横断面形状が全体的に横長状の楕円形を有する長尺物部材（長尺物建材）が効率良く形成されることとなる。すなわち、製造コストの低減化された長尺物建材が形成されることとなる。そして、このような長尺物建材を手摺り等に使用することによって、歩行者等にとっては、掴み勝手の良い手摺りが提供されることとなり、歩行者等にとっては安全性の確保が図られることとなる。
【００１３】
また、第三の発明及び第四の発明によれば、上記ベース部材が透明体からなるプラスチック材にて形成されるとともに、その下方部に空洞部を設け、更に、この空洞部内へ所定の発光体を設置するようにすることによって、本長尺物建材を例えば手摺り等として使用した場合、手摺りに照明機能をもたせることができるようになり、歩行者等の安全性をより高めさせることができるようになる。また、本発明のものにおいては、横断面部において、その上面部と下面部とには不透明体が設けられるようになっており、更には、この不透明体からなるストリップ状部材の先端部はベース部材の外郭線よりも外側へ張り出すようになっていることより、発光体からの光は主に横方向へと照射されるようになる。その結果、観者にとっては照明光は間接光として目に入ることとなる。また、照射される光は全体として淡い感じの照明光となり、周りには淡い感じの光模様が形成されることとなる。これによって、見栄えに優れた手摺り等を提供することができるようになる。
【００１４】
また、第五及び第六の発明によれば、ベース部材が弾力性に富んだ軟らかい素材にて形成されるようになり、本長尺物建材が、例えば手摺り等として利用された場合、掴み勝手の良い、かつ、歩行者等にとって安全性に優れたものが提供されることとなる。
【００１５】
また、第七の発明によれば、周りに淡い光を照射するデザイン性に優れた照明燈等が安価に提供されるようになる。
【発明を実施するための最良の形態】
【００１６】
本発明を実施するための最良の形態について、図１ないし図３を基に説明する。本実施の形態に関するものは、図１に示す如く、例えばステンレススチール製等のストリップ材を基礎に、これがロール成形手段を介してＣ字状の横断面形態を有するように成形加工されることによって形成される型部材１と、このような型部材１のＣ字状横断面部内へ押出成形手段またはインジェクション成形手段等を介して所定のプラスチック材が充填されることによって形成されるベース部材２と、このようにして形成されたベース部材２の上面部のところに接着手段等を介して設けられるものであって不透明体からなるストリップ状部材３と、からなることを基本とするものである。そして、このような基本構成からなるものの、その横断面形状は全体的に横長状の楕円形を形成するようになっているものである。また、このような横断面形態を有するものが、例えば図３に示す如く、長手方向に長く形成され、長尺物建材が形成されるようになっているものである。そして、このような長尺物建材を基礎に、例えば図２に示すような手摺りが形成されることとなる。そして更に、このような手摺りは、歩行者等にとって掴み勝手の良い手摺りとなり、安全性の確保が図られることとなる。
【００１７】
また、上記構成からなるものにおいて、上記ストリップ状部材３は、本実施の形態においては、例えば図１に示すように、その横断面形態において、ほぼ左右対称形をなすように３枚設けられるようになっているが、必ずしもこのような形態に限定されるものではなく、２枚あるいは４枚等からなるものであっても良い。また、必ずしも対称形をなすように設置されるものでなくとも良い。要は、横断面形態が全体的に平べったい形状の楕円形をなすものであれば良い。このような楕円形を形成することによって、例えば手摺りとして利用される場合においては、図２に示す如く、掴み勝手の良い手摺りが形成されることとなる。なお、このようなストリップ状部材３は、本実施の形態においては、ステンレススチールを初めとした金属製部材が採用されるようになっているが、この外に、不透明なプラスチック製プレート等であっても良いし、場合によっては、その表面側に化粧用のシート４あるいはフィルム４等を貼り付けるようにしたものであっても良い（図１参照）。
【００１８】
次に、上記構成からなるベース部材２は、所定のプラスチック材を基礎に形成されるものであって、主に押出成形手段にて棒状に成形加工されるものである。本実施の形態においては、予めＣ字状にロール成形された型部材１のＣ字状空間部内へ、押出成形加工手段を用いて所定のプラスチック材を充填し、これによって型部材１とベース部材２とを押出成形加工と同時に一体化させることが考えられている。なお、このような構成からなるベース部材２と上記型部材１及びストリップ状部材３との係合関係は、例えば図１の破線図示の如く、それぞれの部材１、３の横断面形状端末部を上記ベース部材２の一部に食い込ませるようにしても良い。このような構成を採ることによって、Ｃ字状の型部材１を基礎にして、その周りにストリップ状部材３を配置した状態で上記空間部内へ所定のプラスチック材を押出し注入することによって、ベース部材２を中心にして周りに型部材１及びストリップ状部材３を有する長尺物部材（長尺物建材）が接着材を介さずに一体的に形成されることとなる。なお、本ベース部材２として用いられるプラスチック材に関しては、その硬度は特に限定されるものではないが、本長尺物建材が手摺り等として利用される場合、あるいは本長尺物建材が屈曲成形されて用いられる場合等においては、掴み勝手の良さ、あるいは曲げ成形加工の容易さ等を考慮して、硬度の低い軟質プラスチック材が用いられる場合がある。更には、本ベース部材２に上記の如く軟質プラスチック材が採用され、このような本長尺物建材が手摺りとして利用された場合には、ベース部材２に設けられた空洞部２２の作用と相まってベース部材２全体が柔かく撓み、歩行者等が手で掴んだ際に、手に柔かい感じを与えるとともに、手になじむようになる。
【００１９】
また、本実施の形態においては、本長尺物建材を、例えば手摺り用部材として利用する場合を考慮して、上記ベース部材２を透明性のある素材にて形成するとともに、その一部に、例えば図１及び図２に示すような空洞部２２を設けておくようにすることも考えられる。そして、このようにして形成された空洞部２２内へ、図１ないし図３に示す如く、例えば発光ダイオード等からなる所定の発光体５を設置することによって、照明機能等を発揮する手摺りが形成されることとなる。これによって、歩行者等の安全性確保が図られることとなる。具体的には、例えば図１及び図３に示す如く、ベース部材２の上方部に設けられる各ストリップ状部材３、３の間には隙間２５、２５が設けられるようになっているとともに、Ｃ字状型部材１の下方部には、図１に示す如く、照明用孔１１が設けられるようになっており、上記発光体５からの光は上方へは直接照射されず、もっぱら横方向あるいは下方へと照射されることとなる（図１及び図３の矢印図示参照）。その結果、観者（歩行者）９等にとっては、直接光が目に入らず、間接光が目に入るようになる。従って、本長尺物建材が、例えば手摺りとして使用された場合、あるいは照明燈等として使用された場合には、淡い光を発するディスプレイ手段としての機能も発揮されるようになり、優れた美感を呈することとなる。
【００２０】
このような構成を採ることによって、本実施の形態のものにおいては、意匠性に優れた、かつ、掴み勝っての良いと言う機能性にも優れた手摺り等がロール成形手段及び押出成形手段を介して効率良く形成（製造）されるようになり、安全性に優れた手摺り等を安価に提供することができるようになる。
【図面の簡単な説明】
【００２１】
【図１】本発明の全体構成を示す横断面図である。
【図２】本発明にかかる長尺物建材を手摺りとして利用した場合における掴み勝手の良さを示す斜視図である。
【図３】本発明にかかる長尺物建材を照明付き手摺りとして利用した場合の状態を示す斜視図である。
【符号の説明】
【００２２】
１  型部材
１１  照明用孔
２  ベース部材
２２  空洞部
２５  隙間
３  ストリップ状部材
４  化粧シート（化粧フィルム）
５  発光体
９  観者
【図１】
2006322248.tif 000003
【図２】
2006322248.tif 000004
【図３】
2006322248.tif 000005